(57)【要約】【課題】  鍵盤蓋をコンパクトに収納することができ、楽器全体の小型化を図ることができる鍵盤蓋を提供する。【解決手段】  楽器ケース１内に設けられた鍵盤部７を鍵盤蓋９で開閉自在に覆う鍵盤蓋において、鍵盤蓋９は、前蓋２２と後蓋２３とに分割され、この分割された前蓋２２と後蓋２３とを伸縮連結部２４によって楽器ケース１の前後方向に伸縮可能に連結した構成である。従って、鍵盤蓋９が鍵盤部７を覆った際に、伸縮連結部２４が伸びて前蓋２２と後蓋２３との全長を引き伸ばして長くすることができ、また鍵盤蓋９が鍵盤部７を開放した際に、伸縮連結部２４が収縮して前蓋２２と後蓋２３との全長を収縮させて短くすることができる。これにより、鍵盤部を鍵盤蓋で確実に且つ良好に覆うことができると共に、鍵盤蓋をコンパクトに収納することができる。【選択図】        図１
2014021469.tif 000002
【特許請求の範囲】
【請求項１】
複数に分割された複数の蓋部と、
前記複数の蓋部をその接離方向に伸縮可能に連結する伸縮連結部と、
を備えていることを特徴とする鍵盤蓋。
【請求項２】
請求項１に記載の鍵盤蓋において、前記伸縮連結部は、前記複数の蓋部をその接離方向にガイドするガイド連結部材と、前記複数の蓋部の間を塞ぐカバー部材とを備えていることを特徴とする鍵盤蓋。
【請求項３】
請求項１または請求項２に記載の鍵盤蓋において、前記伸縮連結部は、前記複数の蓋部が前記鍵盤部を覆った際に伸び、また前記複数の蓋部が前記鍵盤部を開放した際に収縮する弾性部材を備えていることを特徴とする鍵盤蓋。
【請求項４】
請求項１〜請求項３のいずれかに記載の鍵盤蓋において、前記鍵盤蓋は、楽器ケースに設けられたガイド部によって前記楽器ケースの前後方向にスライドして前記鍵盤部を開閉可能に覆うことを特徴とする鍵盤蓋。
【請求項５】
請求項３または請求項４に記載の鍵盤蓋において、前記カバー部材には表示部が設けられていることを特徴とする鍵盤蓋。
【請求項６】
請求項３〜請求項５いずれかに記載の鍵盤蓋において、前記カバー部材は光透過性を有していることを特徴とする鍵盤蓋。
【発明の詳細な説明】
【技術分野】
【０００１】
この発明は、電子ピアノや電子オルガンなどの鍵盤楽器に用いられる鍵盤蓋に関する。
【背景技術】
【０００２】
例えば、電子ピアノなどの鍵盤楽器においては、特許文献１に記載されているように、楽器ケース内に設けられた鍵盤部を、楽器ケースに対してスライドする鍵盤蓋によって、開閉可能に覆うように構成されたものが知られている。
【先行技術文献】
【特許文献】
【０００３】
【特許文献１】特開平１０−２０７４４８号公報
【０００４】
このような鍵盤楽器における蓋開閉装置は、鍵盤蓋を円滑に開閉するために、楽器ケース内にガイドレール部を設け、このガイドレール部によって鍵盤蓋の前端部に設けられた前ガイド軸と、鍵盤蓋の後端部に設けられた後ガイド軸とを、ガイドすると共に、鍵盤蓋の後ガイド軸に設けられたピニオンギアを、ガイドレール部に設けられたラックギアに噛み合わせて回転移動させるように構成されている。
【発明の概要】
【発明が解決しようとする課題】
【０００５】
しかしながら、このような蓋開閉装置では、ガイドレール部が鍵盤蓋の前ガイド軸をガイドする前ガイド部と鍵盤蓋の後ガイド軸をガイドする後ガイド部とを有し、これらの各ガイド長さおよびラックギアの長さを鍵盤蓋の開閉時における移動長さと同じ長さに設定しなければ、鍵盤蓋で鍵盤部を確実に覆い、且つ鍵盤蓋を楽器ケース内に確実に収納することができない。このため、楽器ケース内における鍵盤蓋の収納スペースをコンパクトに形成することができず、楽器全体の小型化を図ることができないという問題がある。
【０００６】
この発明が解決しようとする課題は、鍵盤蓋をコンパクトに収納することができ、楽器全体の小型化を図ることができる鍵盤蓋を提供することである。
【課題を解決するための手段】
【０００７】
この発明は、複数に分割された複数の蓋部と、この分割された前記複数の蓋部をその接離方向に伸縮可能に連結する伸縮連結部とを備えていることを特徴とする鍵盤蓋である。
【発明の効果】
【０００８】
この発明によれば、鍵盤蓋が鍵盤部を覆った際に、伸縮連結部が伸びて複数の蓋部の全長を引き伸ばして長くすることができ、また鍵盤蓋が鍵盤部を開放した際に、伸縮連結部が収縮して複数の蓋部の全長を収縮させて短くすることができる。これにより、鍵盤部を鍵盤蓋で確実に且つ良好に覆うことができると共に、鍵盤蓋をコンパクトに収納することができ、楽器全体の小型化を図ることができる。
【図面の簡単な説明】
【０００９】
【図１】この発明を鍵盤楽器に適用した一実施形態において、鍵盤蓋を閉じて鍵盤部を覆った状態を示した断面図である。
【図２】図１に示された鍵盤楽器において、鍵盤蓋を開いて鍵盤部を開放した状態を示した断面図である。
【図３】図１に示された鍵盤楽器の鍵盤蓋を示した拡大断面図である。
【図４】図２に示された鍵盤楽器の鍵盤蓋を示した拡大断面図である。
【図５】図３に示された鍵盤蓋の要部を更に拡大して示した断面図である。
【発明を実施するための形態】
【００１０】
以下、図１〜図５を参照して、この発明を鍵盤楽器に適用した一実施形態について説明する。
この鍵盤楽器は、図１および図２に示すように、楽器ケース１を備えている。この楽器ケース１は、一対の側板２と、この一対の側板２間における下部に設けられた底板３と、この底板３の前端部（図１では左端部）に起立して設けられた前板４と、底板３の後端部（図１では右端部）に起立して設けられた後板５と、この後板５の上部および一対の側板２における後部側の上部に亘って設けられた天板６とを備えている。
【００１１】
これにより、楽器ケース１は、図１および図２に示すように、天板６の前側（図１では左側）が開放されたほぼ箱形状に形成されている。この楽器ケース１の内部には、鍵盤部７が上方に露出する状態で設けられている。この鍵盤部７は、白鍵７ａおよび黒鍵７ｂを備え、これら白鍵７ａおよび黒鍵７ｂが、底板３上に設けられた鍵盤シャーシ８上に上下方向に回転可能に取り付けられた状態で、多数並列に配列された構成になっている。
【００１２】
また、この楽器ケース１の上部には、図１および図２に示すように、鍵盤部７を覆う鍵盤蓋９が蓋開閉装置１０によって開閉可能に設けられている。この鍵盤蓋９は、図１に示すように、鍵盤部７の上方に配置されて鍵盤部７を覆って閉じた状態のときに、前下がり（図１では左下がり）に傾斜した状態で配置されるように構成されている。また、この鍵盤蓋９は、図２に示すように、天板６の下側に位置した状態で楽器ケース２内に収納された際に、後下がり（図２では右下がり）に傾斜して配置されるように構成されている。
【００１３】
この鍵盤蓋９を開閉させるための蓋開閉装置１０は、図１および図２に示すように、鍵盤蓋９を楽器ケース１の前後方向にガイドするガイド部１２を備えている。鍵盤蓋９は、後述するように、前蓋２２と後蓋２３とに分割された構成になっている。また、ガイド部１２は、鍵盤蓋９の前端部つまり前蓋２２の前端部をガイドする前側ガイド部１３と、鍵盤蓋９の後端部つまり後蓋２３の後端部をガイドする後側ガイド部１４とを備えている。
【００１４】
この場合、鍵盤蓋９における前蓋２２の前端部には、図１および図２に示すように、鍵盤蓋９をスライドさせるための取手部１５が取り付けられている。この取手部１５の下端部には、前側ガイド部１３によってガイドされる前側ガイド軸１６が、両側の側板２の内面に向けて突出して設けられている。また、鍵盤蓋９における後蓋２３の後端部における両側には、一対の取付片１８がそれぞれ取り付けられており、この一対の取付片１８には、後側ガイド軸１７が回転可能に取り付けられている。
【００１５】
前側ガイド部１３は、図１および図２に示すように、鍵盤部７の前側から立ち上がり、鍵盤部７の上側に沿って斜め上方に向けて緩やかに傾斜した状態で後方に延び、この後方に延びた部分が天板６の前端部の下側に位置するように、楽器ケース１の側板２の内面に設けられている。
【００１６】
これにより、前側ガイド部１３は、図１および図２に示すように、鍵盤蓋９における前蓋２２の前端部に位置する前側ガイド軸１６を鍵盤部７の前端部から鍵盤部７の後端部に亘ってガイドするように構成されている。この場合、前側ガイド部１３の後端部と鍵盤部７の後端部との間には、コンソールパネル１１が設けられている。
【００１７】
後側ガイド部１４は、図１および図２に示すように、楽器ケース１の天板６の下側に位置する箇所の側板２の内面に、後部下り（図１では右下がり）に緩やかに傾斜した状態で設けられている。この後側ガイド部１４には、鍵盤蓋９における後蓋２３の後端部に設けられた後側ガイド軸１７をガイドする後側ガイド溝１９が、後側ガイド部１４と同様、後部下り（図１では右下がり）に緩やかに傾斜した状態で設けられている。
【００１８】
これにより、後側ガイド部１４は、図１および図２に示すように、鍵盤蓋９における後蓋２３の後端部に位置する後側ガイド軸１７を鍵盤部７の後端部に対応する上部、つまり前側ガイド部１３の後端部付近に位置する箇所から鍵盤部７の後方に位置する楽器ケース１の後板５に接近する箇所に亘ってガイドするように構成されている。
【００１９】
この場合、後ガイド軸１７には、図１および図２に示すように、ピニオンギア２０が取り付けられている。このピニオンギア２０は、鍵盤蓋９の開閉動作に伴って後側ガイド軸１７が後側ガイド部１４の後側ガイド溝１５に沿って移動する際に、後側ガイド部１４に設けられたラックギア２１に噛み合って回転移動するように構成されている。
【００２０】
ところで、鍵盤蓋９は、図１および図２に示すように、前蓋２２と後蓋２３とに分割され、この分割された前蓋２２と後蓋２３とが伸縮連結部２４によって楽器ケース１の前後方向に伸縮可能に連結された構成になっている。この伸縮連結部２４は、前蓋２２と後蓋２３とをその接離方向にガイドするガイド連結部材２５と、前蓋２２と後蓋２３との間を塞ぐカバー部材２６とを備えている。
【００２１】
ガイド連結部材２５は、図３〜図５に示すように、ガイド軸部２５ａとガイド筒部２５ｂとを有し、このガイド筒部２５ｂ内にガイド軸部２５ａがスライド可能に挿入するように構成されている。すなわち、このガイド連結部２５は、後蓋２３の前端面２３ａに対向する前蓋２２の後端面２２ａにガイド筒部２５ｂがスライド方向つまり楽器ケースの前後方向に沿って埋め込まれ、このガイド筒部２５ｂ内に挿入されたガイド軸部２５ａの後端部が後蓋２３の前端面２３ａに取り付けられた構成になっている。
【００２２】
これにより、ガイド連結部材２５は、図１〜図５に示すように、ガイド軸部２５ａがガイド筒部２５ｂから突出した際に、前蓋２２の後端面２２ａと後蓋２３の前端面２３ａとの間隔を押し広げて、前蓋２２と後蓋２３との全体の長さを長くするように構成されている。また、このガイド連結部材２５は、ガイド軸部２５ａがガイド筒部２５ｂ内に挿入した際に、前蓋２２の後端面２２ａと後蓋２３の前端面２３ａとの間隔を狭くして、前蓋２２と後蓋２３との全体の長さを短くするように構成されている。
【００２３】
カバー部材２６は、図１〜図５に示すように、一端部の取付部２６ａが後蓋２３の前端部２３ａに取り付けられ、他端部の本体部２６ｂが前蓋２２の後端部２２ａの上面にスライド自在に配置されるように構成されている。すなわち、このカバー部材２６は、一端部の取付部２６ａがＬ字状に折り曲げられ、この折り曲げられた取付部２６ａが後蓋２３の前端部２３ａとこの前端面２３ａ側に位置する後蓋２３の下面とに取り付けられている。
【００２４】
また、このカバー部材２６は、その他端部の本体部２６ｂが取付部２６ａの上端部から前蓋２２側に向けて折り曲げられ、この折り曲げられた本体部２６ｂが前蓋２２の上面に沿って移動可能に配置されるように構成されている。この場合、カバー部材２６は、その本体部２６ｂの前後方向（図５では左右方向）の長さが、ガイド連結部材２５のガイド軸部２５ａの長さと同じか、それよりも長く形成され、且つその鍵盤部７の鍵配列方向の長さが鍵盤蓋９と同じ長さに形成されている。
【００２５】
これにより、カバー部材２６は、図１に示すように、鍵盤蓋９が引き出されて鍵盤部７を覆った際に、前蓋２２の後端面２２ａと後蓋２３の前端面２３ａとの間が離れて、本体部２６ｂが前蓋２２の上面に重なり合う長さが短くなり、この状態で本体部２６ｂが前蓋２２の後端面２２ａと後蓋２３の前端面２３ａとの間を覆い隠すように構成されている。
【００２６】
また、このカバー部材２６は、図２に示すように、鍵盤蓋９が開く方向に押し込まれて鍵盤部７を開放した際に、前蓋２２の後端面２２ａと後蓋２３の前端面２３ａとが接近して、本体部２６ｂが前蓋２２の上面に重なり合う長さが十分に長くなり、この状態で本体部２６ｂが前蓋２２の後端面２２ａと後蓋２３の前端面２３ａとの間を覆い隠すように構成されている。
【００２７】
この場合、カバー部材２６は、透明または半透明の光透過性を有する合成樹脂によって形成されている。このカバー部材２６の本体部２６ｂの下面には、図５に示すように、ロゴマークなどのマークを表示するマーク表示部２７が設けられている。このマーク表示部２７は、図３および図４に示すように、前蓋２２の後端部２２ａと後蓋２３の前端部２３ａとの間隔が広くても、また狭くても、カバー部材２６の本体部２６ｂを通して常に鍵盤蓋９の上方から見えるように構成されている。
【００２８】
一方、この鍵盤蓋９は、図３〜図５に示すように、前蓋２２の後端面２２ａと後蓋２３の前端面２３ａとの間に配置されたばね部材２８を備えている。このばね部材２８は、ガイド連結部材２５のガイド軸部２５ａの外周に沿って巻き付けられるように設けられ、この状態で一端部が前蓋２２の後端面２２ａに弾接し、他端部が後蓋２３の前端面２３ａに弾接するように構成されている。
【００２９】
これにより、このばね部材２８は、図１に示すように、鍵盤蓋９が鍵盤部７を覆った際に、弾力的に伸びることにより、前蓋２２の後端面２２ａと後蓋２３の前端面２３ａとの間隔を弾力的に押し広げるように構成されている。また、このばね部材２８は、図２に示すように、鍵盤蓋９が鍵盤部７を開放して楽器ケース１内に収納された際に、弾力的に収縮することにより、前蓋２２の後端面２２ａと後蓋２３の前端面２３ａとの間隔を弾力的に狭くするように構成されている。
【００３０】
次に、この鍵盤楽器の鍵盤蓋９の作用について説明する。
鍵盤蓋９を開いて楽器ケース１内に収納する際には、図１に示すように、取手部１５に手を掛けて鍵盤蓋９を楽器ケース１の後部側（図１では右側）に向けて移動させる。このように、鍵盤蓋９が開く方向に移動を開始する際には、鍵盤蓋９の前蓋２２の前端部に設けられた前側ガイド軸１４がガイド部１２の前側ガイド溝１３に沿って楽器ケース１の後部側に向けて移動する。
【００３１】
このときには、鍵盤蓋９の後蓋２３の後端部に位置する後側ガイド軸１７が後側ガイド部１４の後側ガイド溝１９に沿って楽器ケース１の後部側に向けて移動すると共に、後側ガイド軸１７に取り付けられたピニオンギア２０が後側ガイド部１４に設けられたラックギア２１に噛み合って回転しながら楽器ケース１の後部側に向けて移動する。
【００３２】
このように、鍵盤蓋９が開く方向に移動する際には、図３〜図５に示すように、鍵盤蓋９の前蓋２２と後蓋２３との間に介在されたばね部材２８のばね力に抗して、前蓋２２が後蓋２３に向けて移動する。このときには、ばね部材２８が弾力的に収縮すると共に、伸縮連結部２４のガイド連結部材２５も収縮する。すなわち、このガイド連結部材２５は、ばね部材２８の収縮に伴って、ガイド軸部２５ａがガイド筒部２５ｂ内に徐々に挿入する。
【００３３】
これにより、前蓋２２の後端面２２ａと後蓋２３の前端面２３ａとの間の間隔が徐々に狭くなると共に、カバー部材２６の本体部２６ｂが前蓋２２の上面に沿って前側に向けて相対的に移動し、カバー部材２６の本体部２６ｂが前蓋２２の上面に重なる長さが徐々に長くなる。このため、鍵盤蓋９が開く方向に移動を開始する際には、ばね部材２８が弾力的に収縮すると共に、伸縮連結部２４のガイド連結部材２５も収縮することにより、軽い力で鍵盤蓋９を開く方向に移動させることができる。
【００３４】
そして、鍵盤蓋９が楽器ケース内に移動して収納される際には、ばね部材２８が更に弾力的に収縮すると共に、伸縮連結部２４のガイド連結部材２５も更に収縮する。このため、前蓋２２の後端面２２ａと後蓋２３の前端面２３ａとの間の間隔が更に狭くなると共に、カバー部材２６の本体部２６ｂが前蓋２２の上面に沿って前側に向けて相対的に移動し、カバー部材２６の本体部２６ｂが前蓋２２の上面に重なる長さが更に長くなる。
【００３５】
このように、鍵盤蓋９が楽器ケース内に収納された際には、鍵盤蓋９の前蓋２２の前端部に設けられた前側ガイド軸１４がガイド部１２の前側ガイド溝１３の後端部に位置する。また、このときには、鍵盤蓋９の後蓋２３の後端部に位置する後側ガイド軸１７が後側ガイド部１４の後側ガイド溝１９の後端部に位置すると共に、後側ガイド軸１７に取り付けられたピニオンギア２０が後側ガイド部１４に設けられたラックギア２１の後端部に位置する。
【００３６】
このときには、前蓋２２の後端面２２ａと後蓋２３の前端面２３ａとの間の間隔が最も狭くなるので、鍵盤蓋９の前後方向の長さが最も短くなる。このため、前蓋２２の前端部に設けられた前側ガイド軸１６が前側ガイド部１３に沿って移動する長さよりも、後蓋２３の後端部に設けられた後側ガイド軸１７が後側ガイド部１４に沿って移動する長さが短くなる。これにより、鍵盤蓋９の収納スペースを小さくすることができる。
【００３７】
一方、楽器ケース１内に収納された状態の鍵盤蓋９を引き出して閉じる際には、図２に示すように、鍵盤蓋９の前端部に取り付けられた取手部１５に手を掛けて鍵盤蓋９を手前側（図２では左側）に引き出す。このときには、鍵盤蓋９の前蓋２２の前端部に設けられた前側ガイド軸１４が前側ガイド部１３に沿って楽器ケース１の前部側（図２では左側）に向けて移動する。
【００３８】
また、このときには、鍵盤蓋９の後蓋２３の後端部に位置する後側ガイド軸１７が後側ガイド部１４の後側ガイド溝１９に沿って楽器ケース１の前部側に向けて移動すると共に、後側ガイド軸１７に取り付けられたピニオンギア２０が後側ガイド部１４に設けられたラックギア２１に噛み合って回転しながら楽器ケース１の前側に向けて移動する。
【００３９】
このように、鍵盤蓋９が閉じる方向に移動する際には、図３および図４に示すように、鍵盤蓋９の前蓋２２と後蓋２３との間に介在されたばね部材２８のばね力によって、前蓋２２が後蓋２３から離れる方向に向けて移動する。このときには、ばね部材２８が弾力的に伸びると共に、伸縮連結部２４のガイド連結部材２５も伸びる。すなわち、このガイド連結部材２５は、ばね部材２８が弾力的に伸びるのに伴って、ガイド軸部２５ａがガイド筒部２５ｂ内から徐々に引き出される。
【００４０】
これにより、前蓋２２の後端面２２ａと後蓋２３の前端面２３ａとの間の間隔が徐々に広くなると共に、カバー部材２６の本体部２６ｂが前蓋２２の上面に沿って後側に向けて相対的に移動し、カバー部材２６の本体部２６ｂが前蓋２２の上面に重なる長さが徐々に短くなる。このため、鍵盤蓋９が閉じる方向に移動を開始する際には、ばね部材２８が弾力的に伸びると共に、伸縮連結部２４のガイド連結部材２５も伸びることにより、軽い力で鍵盤蓋９を閉じる方向に移動させることができる。
【００４１】
そして、鍵盤蓋９が楽器ケース内から引き出されて鍵盤部７を覆う際には、ばね部材２８が更に弾力的に伸びると共に、伸縮連結部２４のガイド連結部材２５も更に伸びる。このため、前蓋２２の後端面２２ａと後蓋２３の前端面２３ａとの間の間隔が更に広くなると共に、カバー部材２６の本体部２６ｂが前蓋２２の上面に沿って後部側に向けて相対的に移動し、カバー部材２６の本体部２６ｂが前蓋２２の上面に重なる長さが更に短くなる。
【００４２】
このように、鍵盤蓋９が鍵盤部７を覆った際には、鍵盤蓋９の前蓋２２の前端部に設けられた前側ガイド軸１４が前側ガイド溝１３の前端部に位置する。また、このときには、鍵盤蓋９の後蓋２３の後端部に位置する後側ガイド軸１７が後側ガイド部１４の後側ガイド溝１９の前端部に位置すると共に、後側ガイド軸１７に取り付けられたピニオンギア２０が後側ガイド部１４に設けられたラックギア２１の前端部に位置する。
【００４３】
このときには、前蓋２２の後端面２２ａと後蓋２３の前端面２３ａとの間の間隔が最も広くなるので、鍵盤蓋９の前後方向の長さが最も長くなる。このため、前蓋２２の前端部に設けられた前側ガイド軸１６を前側ガイド部１３に沿って移動させる長さが、後蓋２３の後端部に設けられた後側ガイド軸１７を後側ガイド部１４に沿って移動させる長さよりも、長くなる。これにより、鍵盤蓋９の収納スペースを小さくしても、鍵盤蓋９によって鍵盤部７を確実に覆うことができる。
【００４４】
このように、この鍵盤楽器の鍵盤蓋によれば、楽器ケース１内に設けられた鍵盤部７を開閉自在に覆う鍵盤蓋９が、前蓋２２と後蓋２３とに分割され、この分割された前蓋２２と後蓋２３とを伸縮連結部２４によって楽器ケース１の前後方向に伸縮可能に連結した構成であることにより、鍵盤部７を鍵盤蓋９で確実に且つ良好に覆うことができると共に、鍵盤蓋９を楽器ケース１内にコンパクトに収納することができ、楽器全体の小型化を図ることができる。
【００４５】
すなわち、この鍵盤蓋では、鍵盤蓋９が鍵盤部７を覆った際に、伸縮連結部２４が伸びて前蓋２２と後蓋２３との全長を引き伸ばして長くすることができ、また鍵盤蓋９が鍵盤部７を開放した際に、伸縮連結部２４が収縮して前蓋２２と後蓋２３との全長を収縮させて短くすることができる。これにより、鍵盤部７を鍵盤蓋９で確実に且つ良好に覆うことができると共に、鍵盤蓋９を楽器ケース１内にコンパクトに収納することができ、楽器全体の小型化を図ることができる。
【００４６】
また、この鍵盤蓋によれば、鍵盤蓋９が楽器ケース１に設けられたガイド部１２によって楽器ケース１の前後方向にスライドして鍵盤部７を開閉可能に覆う構成であることにより、鍵盤蓋９をスライドさせる際に、鍵盤蓋９をガイド部１２によって円滑にスライドさせることができ、これにより鍵盤蓋９を良好に開閉することができると共に、前蓋２２と後蓋２３とを伸縮連結部２４によって楽器ケース１の前後方向に良好に伸縮させることができる。
【００４７】
この場合、ガイド部１２は、前側ガイド部１３と後側ガイド部１４とを備え、前側ガイド部１３で鍵盤蓋９の前蓋２２の前端部に設けられた前側ガイド軸１６をガイドし、後側ガイド部１４で鍵盤蓋９の後蓋２３の後端部に設けられた後側ガイド軸１７をガイドする構成であるから、鍵盤蓋９を前蓋２２と後蓋２３とに分割しても、鍵盤蓋９を開閉する際に、前蓋２２と後蓋２３とをガイド部１２によって円滑に且つ良好に移動させることができる。
【００４８】
この場合にも、前蓋２２と後蓋２３とを伸縮連結部２４によって楽器ケース１の前後方向に確実に且つ良好に伸縮させることができるので、前側ガイド軸１６をガイドする前側ガイド部１３のガイド長さよりも、後側ガイド軸１７をガイドする後側ガイド部１４のガイド長さを短くすることができ、これにより鍵盤蓋９を収納するための長さを鍵盤蓋９が鍵盤部７を覆う長さよりも短くすることができるので、楽器全体をコンパクトに構成することができる。
【００４９】
また、この鍵盤蓋では、伸縮連結部２４が、前蓋２２と後蓋２３とをその接離方向にガイドするガイド連結部材２５と、前蓋２２と後蓋２３との間を塞ぐカバー部材２６とを備えていることにより、鍵盤蓋９を開閉する際に、ガイド連結部材２５によって前蓋２２と後蓋２３とをその接離方向にガイドすることができ、これにより前蓋２２と後蓋２３とを確実に且つ良好に接近または離間させることができると共に、前蓋２２と後蓋２３とが互いに接近しても、また離間しても、その間をカバー部材２６によって確実に塞ぐことができる。
【００５０】
この場合、ガイド連結部材２５は、ガイド軸部２５ａとガイド筒部２５ｂとを有し、このガイド筒部２５ｂ内にガイド軸部２５ａがスライド可能に挿入するように構成されていることにより、ガイド筒部２５ｂを前蓋２２の後端面２２ａに埋め込み、このガイド筒部２５ｂに挿入されたガイド軸部２５ａの一端部を後蓋２３の前端面２３ａに取り付けるだけで、前蓋２２と後蓋２３とを確実に連結することができると共に、前蓋２２と後蓋２３とを確実に且つ良好に接近または離間させることができる。
【００５１】
また、カバー部材２６は、一端部の取付部２６ａが後蓋２３の前端部２３ａに取り付けられ、他端部の本体部２６ｂが前蓋２２の後端部２２ａの上面にスライド自在に配置され、この本体部２６ｂの前後方向の長さがガイド連結部材２５のガイド軸部２５ａの長さよりも長く形成されていることにより、前蓋２２と後蓋２３とが接近または離間しても、前蓋２２の後端面２２ａと後蓋２３の前端面２３ａとの間を確実に且つ良好に塞いで隠すことができる。
【００５２】
この場合、カバー部材２６は、透明または半透明の光透過性を有する合成樹脂によって形成され、このカバー部材２６の本体部２６ｂの下面にロゴマークなどのマークを表示するマーク表示部２７が設けられていることにより、前蓋２２の後端部２２ａと後蓋２３の前端部２３ａとの間隔が広くても、また狭くても、カバー部材２６の本体部２６ｂを通して、常に鍵盤蓋９の上方からマーク表示部２７を見ることができる。
【００５３】
また、この鍵盤蓋の伸縮連結部２４は、前蓋２２と後蓋２３とが鍵盤部７を覆った際に伸び、且つ前蓋２２と後蓋２３とが鍵盤部７を開放した際に収縮するばね部材２８を備えていることにより、鍵盤蓋９の開閉動作に応じて前蓋２２の後端部２２ａと後蓋２３の前端部２３ａとの間隔を弾力的に広くしたり、また狭くしたりすることができ、これにより前蓋２２の後端部２２ａと後蓋２３の前端部２３ａとの間隔を良好に変化させることができる。
【００５４】
この場合、ばね部材２８は、鍵盤蓋９が閉じて鍵盤部７を覆った際に弾力的に伸びることにより、鍵盤蓋９が開く方向に移動を開始する際に、ばね部材２８のばね力が前蓋２２を開く方向に加わるので、軽い力で前蓋２２を開く方向に移動させることができ、また鍵盤蓋９が開いて鍵盤部７を開放した際に、弾力的に収縮することにより、鍵盤蓋９が閉じる方向に移動を開始する際に、ばね部材２８のばね力が前蓋２２を閉じる方向に加わるので、軽い力で前蓋２２を閉じる方向に移動させることができ、これにより鍵盤蓋９を円滑に且つ良好に開閉動作させることができる。
【００５５】
なお、上述した実施形態では、ばね部材２８をガイド連結部材２５のガイド軸部２５ａの外周面に沿って配置して、前蓋２２の後端面２２ａと後蓋２３の前端面２３ａとの間に介在させた場合について述べたが、これに限らず、例えばガイド軸部２５ａが挿入するガイド筒部２５ｂ内に設けて、ガイド軸部２５ａの内端部を弾力的に付勢するように構成しても良く、また必ずしもばね部材２８である必要はなく、ゴムなどの弾性部材を用いても良い。
【００５６】
また、上述した実施形態では、カバー部材２６の本体部２６ｂにマーク表示部２７を設けた場合について述べたが、必ずしもマーク表示部２７を設ける必要はなく、自動演奏に応じて押鍵される鍵を順次光からせてナビゲートするナビゲーション機能を有する場合に、デモンストレーション用の窓部として用いても良い。このように構成すれば、鍵盤蓋９が鍵盤部７を覆って閉じた状態で、自動演奏に応じて押鍵される鍵を順次光からせることにより、カバー部材２６の本体部２６ｂを通して、順次光っている鍵を鍵盤蓋９の上方から良好に見ることができる。
【００５７】
また、上述した実施形態では、カバー部材２６が透明または半透明の光透過性を有する合成樹脂で形成されている場合について述べたが、これに限らず、遮光性を有する合成樹脂や金属で形成しても良い。この場合には、ロゴマークなどのマークを表示するマーク表示部２７をカバー部材２６の本体２６ｂの上面に設ければ良い。
【００５８】
さらに、上述した実施形態では、カバー部材２６の本体部２６ｂにマーク表示部２７を設けた場合について述べたが、必ずしもマーク表示部２７である必要はなく、情報を電気光学的に表示する液晶表示パネルやＥＬ（エレクトロ・ルミネセンス）表示パネルなどの表示パネルを設けても良い。
【００５９】
なおまた、上述した実施形態では、鍵盤蓋９を前蓋２２と後蓋２３との２つに分割した場合について述べたが、必ずしも鍵盤蓋９を前蓋２２と後蓋２３との２つに分割した構成である必要はなく、鍵盤蓋９を３つ以上の蓋部に分割しても良い。この場合には、各蓋部の間にそれぞれ伸縮連結部２４を設けて各蓋部を伸縮可能に連結するように構成にすれば良い。
【００６０】
以上、この発明のいくつかの実施形態について説明したが、この発明は、これに限られるものではなく、特許請求の範囲に記載された発明とその均等の範囲を含むものである。
以下に、本願の特許請求の範囲に記載された発明を付記する。
【００６１】
（付記）
請求項１に記載の発明は、複数に分割された複数の蓋部と、前記複数の蓋部をその接離方向に伸縮可能に連結する伸縮連結部と、を備えていることを特徴とする鍵盤蓋である。
【００６２】
請求項２に記載の発明は、請求項１に記載の鍵盤蓋において、前記伸縮連結部は、前記複数の蓋部をその接離方向にガイドするガイド連結部材と、前記複数の蓋部の間を塞ぐカバー部材とを備えていることを特徴とする鍵盤蓋である。
【００６３】
請求項３に記載の発明は、請求項１または請求項２に記載の鍵盤蓋において、前記伸縮連結部は、前記複数の蓋部が前記鍵盤部を覆った際に伸び、また前記複数の蓋部が前記鍵盤部を開放した際に収縮する弾性部材を備えていることを特徴とする鍵盤蓋である。
【００６４】
請求項４に記載の発明は、請求項１〜請求項３のいずれかに記載の鍵盤蓋において、前記鍵盤蓋は、楽器ケースに設けられたガイド部によって前記楽器ケースの前後方向にスライドして前記鍵盤部を開閉可能に覆うことを特徴とする鍵盤蓋である。
【００６５】
請求項５に記載の発明は、請求項３または請求項４に記載の鍵盤蓋において、前記カバー部材には表示部が設けられていることを特徴とする鍵盤蓋である。
【００６６】
請求項６に記載の発明は、請求項３〜請求項５いずれかに記載の鍵盤蓋において、前記カバー部材は光透過性を有していることを特徴とする鍵盤蓋である。
【符号の説明】
【００６７】
１  楽器ケース
７  鍵盤部
９  鍵盤蓋
１０  蓋開閉装置
１２  ガイド部
１３  前側ガイド部
１４  後側ガイド部
１６  前側ガイド軸
１７  後側ガイド軸
２２  前蓋
２２ａ  前蓋の後端面
２３  後蓋
２３ａ  後蓋の前端面
２４  伸縮連結部
２５  ガイド連結部材
２５ａ  ガイド軸部
２５ｂ  ガイド筒部
２６  カバー部材
２６ａ  取付部
２６ｂ  本体部
２７  マーク表示部
２８  ばね部材
【図１】
2014021469.tif 000003
【図２】
2014021469.tif 000004
【図３】
2014021469.tif 000005
【図４】
2014021469.tif 000006
【図５】
2014021469.tif 000007